(57)【要約】【課題】  従来の目覚まし時計ではアラームを停止しても、そのまま寝てしまうことがあるという不具合を解決すること。また、アラームを設定し忘れて、寝てしまうことがあるという不具合を解決すること。【解決手段】  ベッドに人体検出装置を設け、人体を検出し、アラーム設定を行なっていないときにベッド上に人体を検出すると、アラーム設定を行なうように促す。また、アラーム設定時刻に人体を検出すると、ベッドから降りるまでアラームが鳴り続け、さらに、一定時間内に再度人体を検出した場合も、アラームが鳴る、また、ベッドの周囲などで寝ていてもそれを検知することによりアラームを制御し、この課題を解決する。【選択図】    図８
2009085901.tif 000002
【特許請求の範囲】
【請求項１】
二度寝防止を目的とした装置を有するベッドで、ベッド上の人体の重さ、又はベッドの歪みを検知することにより、ベッド上に人が居るかどうかを検知する人体検知手段と人体検知手段の信号を制御信号とするアラーム手段とを備え、アラーム手段がアラーム時刻を設定し、アラーム設定時刻に人体検知手段がベッド上に人体を検知した時は、アラームが鳴り、ベッドから降りて人体検知手段が人体を検知しなくなるとアラームが停止し、一定時間内に再度ベッド上に人体を検知すると、アラームがなることを特徴とした起床装置。
【請求項２】
請求項１に記載の起床装置において、非接触型センサにより、ベッド上に人が居るかどうかを検知するベッド上非接触型人体検知手段とベッド上非接触型人体検知手段の信号を制御信号とするアラーム手段とを備え、アラーム手段がアラーム時刻を設定し、アラーム設定時刻にベッド上非接触型人体検知手段がベッド上に人体を検知した時は、アラームが鳴り、ベッドから降りてベッド上非接触型人体検知手段が人体を検知しなくなるとアラームが停止し、一定時間内に再度ベッド上に人体を検知すると、アラームがなることを特徴とした起床装置。
【請求項３】
請求項１又は２に記載の起床装置において、ベッド側面からの荷重、又は側面の歪みを検知する機能を有することを特徴とした起床装置。
【請求項４】
請求項１から３のいずれか一項に記載の起床装置において、マット、シート、又は板に配置した人体の重さ又は歪みを検知するベッド周辺人体検知装置を用いてベッド周辺の人体を検知する機能を有することを特徴とした起床装置。
【請求項５】
請求項１から４のいずれか一項に記載の起床装置において、ベッド周囲から、ベッドの周辺に検知領域を設定した、非接触型のセンサを使用したベッド周囲人体検知手段でベッド周辺の人体を検知する機能を有することを特徴とした起床装置。
【請求項６】
請求項１から５のいずれか一項に記載の起床装置において、アラーム手段が、ベッド上の人体を検知する人体検知手段を作動させなくても、ベッド周辺の人体を検知するマット上人体検知手段または、ベッド周囲人体検知手段を単独で用いることで、アラームの制御に使用することを特徴とした起床装置。
【請求項７】
請求項１から６に記載のいずれか一項に記載の起床装置において、アラーム手段が、アラーム設定を行なっていない時に、人体検知手段がベッド上に人体を検知すると、アラーム手段が音声又は警告表示でアラーム時刻を設定するように促す機能を有することを特徴とした起床装置。
【請求項８】
請求項１から７のいずれか一項に記載の起床装置において、人体検知手段が、基準から一定以上の重さ、又は歪みで人体を検知する機能を有するものであり、基準の重さ、又は歪みは寝床に布団を設置し、人がベッド上に乗る前に設定できる機能を有することを特徴とした起床装置。
【請求項９】
請求項１から８のいずれか一項に記載の起床装置において、設定時刻に人体検知手段が人体を検知していなくても、その後一定時間の間に人体検知手段が人体を検知するとアラーム手段がアラームを鳴らすことを特徴とした起床装置。
【請求項１０】
請求項１から９のいずれか一項に記載の起床装置において、アラーム手段はアラームの一時停止機能を有し、アラームを一時停止しても、一定時間後に再びアラームが鳴り、指定回数目のアラームでは、ベッド上から人体を検知しなくなるまでアラームが鳴り続ける機能を有することを特徴とした起床装置。
【請求項１１】
請求項１から１０のいずれか一項に記載の起床装置において、人体検知手段が人体を検知しなくなったときで、規定の時刻内のときは、ベッド本体に設置されたライトを一定時間点灯する機能を有することを特徴とした起床装置。
【請求項１２】
請求項１から１１のいずれか一項に記載の起床装置において、光センサを有し、人体検知手段が人体を検知しなくなったときで、光センサの情報により、制御部が、ベッド本体に設置されたライトを一定時間点灯する機能を有することを特徴とした起床装置。
【請求項１３】
請求項１から１2のいずれか一項に記載の起床装置において、ベッド上人体検知手段、ベッド上非接触型人体検知手段、ベッド側面人体検知手段、マット上人体検知手段、ベッド周囲人体検知手段は人体検知前の基準設定を行なうことができる機能を有することを特徴とした起床装置。
【発明の詳細な説明】
【技術分野】
【０００１】
本発明は、起床装置に関するものであり、寝られないない環境を作ることによって、二度寝を防ぐようにした装置である。
【背景技術】
【０００２】
従来から、起床装置として、スヌーズ機能や敷布団にかかる荷重を検知することでアラームを制御する目覚まし時計がある。この例として、特許文献１に開示されたものがある。
【特許文献１】特開２００５−００３５３３号広報
【発明の開示】
【発明が解決しようとする課題】
【０００３】
しかし、従来のような起床装置は、アラーム時刻を設定し、設定時刻にアラームがなり、アラーム停止スイッチを押してアラームをとめていたが、アラームをメインスイッチで停止して、アラームを解除した後も寝てしまうことや、布団またはベッドから降りて寝てしまうこと、また、アラームを設定することを忘れてしまうことがあった。本発明は、このようなアラームをメインスイッチで停止した後も寝てしまうことや、布団またはベッドからおりて寝てしまうこと、また、アラームを設定することを忘れるという問題を解決することを課題とする。
【課題を解決するための手段】
【０００４】
この課題を解決するための請求項１の発明は、二度寝防止を目的とした装置を有するベッドで、ベッド上の人体の重さ、又はベッドの歪みを検知することにより、ベッド上に人が居るかどうかを検知する人体検知手段と人体検知手段の信号を制御信号とするアラーム手段とを備え、アラーム手段がアラーム時刻を設定し、アラーム設定時刻に人体検知手段がベッド上に人体を検知した時は、アラームが鳴り、ベッドから降りて人体検知手段が人体を検知しなくなるとアラームが停止し、一定時間内に再度ベッド上に人体を検知すると、アラームがなることを特徴とした起床装置で、アラーム時刻をセットし、設定時刻に、ベッド上に人がいる時は、アラームが鳴り、降りるとアラームが停止する。再度ベッドに上がるとアラームがなることを特徴とした起床装置である。アラームを止めるにはベッドを降りる必要があるため起床できるというものである。
【０００５】
また、請求項２の発明は、請求項１に記載の起床装置において、非接触型センサをベッドの各辺上に水平に2本以上設置することにより、ベッド上に人が入ったか出たかを検知するベッド上非接触型人体検知手段とベッド上非接触型人体検知手段の信号を制御信号とするアラーム手段とを備え、アラーム手段がアラーム時刻を設定し、アラーム設定時刻にベッド上非接触型人体検知手段がベッド上に人体を検知した時は、アラームが鳴り、ベッドから降りてベッド上非接触型人体検知手段が人体を検知しなくなるとアラームが停止し、一定時間内に再度ベッド上に人体を検知すると、アラームがなることを特徴とした起床装置で、アラーム時刻をセットし、設定時刻に、ベッド上に人がいる時は、アラームが鳴り、降りるとアラームが停止する。再度ベッドに上がるとアラームがなることを特徴とした起床装置である。アラームを止めるにはベッドを降りる必要があるため起床でき、また、非接触型センサを用いることで耐久性がよくなり、ベッドの隅など、重さや歪みを測るセンサでは測定が難しい場所ができてしまうことを補うことができるというものである。
【０００６】
請求項３の発明は、請求項１又は２に記載の起床装置において、ベッド側面からの荷重、又は側面の歪みを検知する機能を有することを特徴とした起床装置で、ベッドから降りてベッドに寄りかかって二度寝することを防ぐ為に、ベッド側面からの荷重、又は側面の歪みを検知する機能を有することを特徴とした起床装置で、ベッドから降りて二度寝することを防ぐものである。
【０００７】
請求項４の発明は、請求項１から３のいずれか一項に記載の起床装置において、マット、シート、又は板に配置した人体の重さ又は歪みを検知するマット上人体検知手段を用いてベッド周辺の人体を検知する機能を有することを特徴とした起床装置で、ベッドから降りてベッドのそばで二度寝することを防ぐ為に、マット又はシート、板に配置したマット上人体検知手段を用いてベッド周辺の人体を検知する機能を有することを特徴とした起床装置で、ベッドから降りて二度寝することを防ぐものである。
【０００８】
請求項５の発明は、請求項１から４のいずれか一項に記載の起床装置において、ベッド周囲から、ベッドの周辺に検知領域を設定した、非接触型のセンサを使用したベッド周囲人体検知手段でベッド周辺の人体を検知する機能を有することを特徴とした起床装置で、ベッドから降りてベッドのそばで二度寝することを防ぐ為に、赤外線センサや超音波センサなどの非接触型の人体検知装置を用いてベッド周辺の人体を検知する機能を有することを特徴とした起床装置で、ベッドから降りて二度寝することを防ぐものである。
【０００９】
請求項６の発明は、請求項１から５のいずれか一項に記載の起床装置において、アラーム手段が、ベッド上の人体を検知する人体検知手段を作動させなくても、ベッド周辺の人体を検知するマット上人体検知手段または、ベッド周囲人体検知手段を単独で用いることで、アラームの制御に使用することを特徴とした起床装置で、ベッドの周囲または部屋の外で人体を検知することにより、ベッドから人が降りたと判断することでアラームを停止することにより起床できるというものである。
【００１０】
請求項７の発明は、請求項１から６に記載のいずれか一項に記載の起床装置において、アラーム手段が、アラーム設定を行なっていない時に、ベッド上の人体検知手段がベッド上に人体を検知すると、アラーム手段が音声又は警告表示でアラーム時刻を設定するように促す機能を有することを特徴とした起床装置で、アラーム設定を行なっていない時に、人体検知手段または、ベッド上非接触型人体検知手段がベッド上に人体を検知すると、アラーム時刻を設定するように音声などで促し、アラームをセットし忘れることを防ぐ機能である。アラームをセットしないときは、ボタンを押すことにより、アラーム時刻をセットするように促すことを停止する機能である。
【００１１】
請求項８の発明は、請求項１から７のいずれか一項に記載の起床装置において、人体検知手段が、基準から一定以上の重さ、又は歪みで人体を検知する機能を有するものであり、基準の重さ、又は歪みは寝床に布団を設置し、人がベッド上に乗る前に設定できる機能を有することを特徴とした起床装置で、就寝設備（布団、枕など）をベッド上に乗せた状態で人体が乗る前の状態を基準とし、基準の状態を設定できるようにすることで、季節による就寝設備の重さの違いやベッドの経年変化に対応するための機能である。
【００１２】
請求項９の発明は、請求項１から８のいずれか一項に記載の起床装置において、設定時刻に人体検知手段が人体を検知していなくても、その後一定時間の間に人体検知手段が人体を検知するとアラーム手段がアラームを鳴らすことを特徴とした起床装置で、アラーム設定時刻にトイレにたっているなど寝床にいない場合を想定して、設定時刻から一定時間をアラーム対象時刻とする機能である。
【００１３】
請求項１０の発明は、請求項１から９のいずれか一項に記載の起床装置において、アラーム手段はアラームの一時停止機能を有し、アラームを一時停止しても、一定時間後に再びアラームが鳴り、指定回数目のアラームでは、人体検知手段がベッド上から人体を検知しなくなるまでアラームが鳴り続ける機能を有することを特徴とした起床装置で、スヌーズ機構であり、アラームを複数回に分けることで、一度目のアラームで目を覚まし、指定回数目のアラームまでに徐々に起きるための機能である。
【００１４】
請求項１１の発明は、請求項１から１０のいずれか一項に記載の起床装置において、人体検知装置が人体を検知しなくなったときで、規定の時刻内のときは、ベッド本体に設置されたライトを一定時間点灯する機能を有することを特徴とした起床装置で、暗い時間にベッドから降りた時、足元が見えづらいことを解消するための機能である。
【００１５】
請求項１２の発明は、請求項１から１１のいずれか一項に記載の起床装置において、光センサを有し、人体検知装置が人体を検知しなくなったときで、光センサの情報により、制御部が、ベッド本体に設置されたライトを一定時間点灯する機能を有することを特徴とした起床装置で暗い時にベッドから降りた時、足元が見えづらいことを解消するための機能である。
【００１６】
請求項１３の発明は、請求項１から１2のいずれか一項に記載の起床装置において、ベッド上非接触型人体検知手段、ベッド側面人体検知手段、マット上人体検知手段、ベッド周囲人体検知手段は人体検知前の基準設定を行なうことができる機能を有することを特徴とした起床装置で基準設定を行ったときに、ベッドの周囲に物がある場合などは、物を検知したセンサの情報を制御部に取り込み、物がある状態から人体を監視するものである。
【発明の効果】
【００１７】
本発明により、起きたい時間に、寝られないない環境を作ることができ、またアラームの設定をするように促すことができるので、二度寝や、アラームの設定し忘れを防ぐことが出来る。
【発明を実施するための最良の形態】
【００１８】
図８に示すように、ベッド８に、人体の荷重を測るセンサ、または荷重によって生じたベッドの歪みを検知する歪みゲージを取り付ける。この荷重センサまたは歪みゲージである人体検出装置３、ならびに時刻表示装置５、アラーム発生部４、操作パネル７の各ボタン、マット１５の人体を検知するセンサ９、ベッド周囲の人体を検知するセンサ１０はマイコンなどの制御部と電気的に接続されている。
図１は、寝床下部に人体検出装置３を配置したことを特徴とする、起床装置の概略図である。同図に示すように、梁２に人体検出装置３を取り付けることで、一つのセンサで人体を検知することが出来る。センサの設置位置、数は他の位置に複数設けてもよい。
【００１９】
図２は、寝床上部に人体検出装置を配置したことを特徴とする、起床装置の概略図である。これにより、寝床下部のスペースを収納１６として大きく使えることと、センサをユニット１７の中に格納することで、電気配線を減らせるので、ベッドの組立作業を簡略化することが出来る。
【００２０】
図３は、寝床上部に人体検出装置３を配置したことを特徴とする起床装置の機構の概略図である。
【００２１】
図４は、寝床上部に人体検出装置３を配置したことを特徴とする起床装置のセンサ取り付け位置を示した斜視図である。センサの数は一つである必要はない。
【００２２】
図５は、ベッド８から降りて、ベッド８によりかかって寝ている状態の人体を検知するためのベッド側面人体検知手段１９センサの取り付け位置とベッド上非接触型人体検知手段１８のセンサ取り付け位置とセンサの検知方向２２を示した概略図である。
【００２３】
図６は、ベッド８から降りてその周囲で二度寝することを防ぐために、マット上１５にセンサ９を配置した起床装置の概略図である。実際は、マット上人体検知手段９を配置するものはマットでは位置ずれやすく、見た目もよくないので、畳など板状のものに配置することが望ましい。センサ９の間隔は３０ｃｍ程度の間隔にすれば、起きて立っているときは多くても二つ程度検知し、三つ以上検知すれば寝ていると判断できる。
【００２４】
図７は、ベッドから降りてその周囲で二度寝することを防ぐために、ベッド周囲に非接触人体検知装置１０を配置した起床装置の概略図である。ベッド周囲の非接触人体検知手段１０の間隔は３０ｃｍ程度の間隔にすれば、起きて立っているときは多くても二つ程度検知し、三つ以上検知すれば寝ていると判断できる。
【００２５】
また、アラーム設定を行なったときのマット上人体検知手段９、ベッド周囲の人体検知手段１０の状態を基準として用いることで、寝る前にベッド周辺に物があっても人体を検知できる。
【００２６】
また、マット１５に配置したマット上人体検知手段９とベッド周囲に歪みセンサ１９、ベッド周囲の人体検知手段１０を配置した起床装置を組み合わせることでより確実に人体を検知できる。
【００２７】
また、マット上人体検知手段９とベッド周囲の人体検知手段１０を配置した起床装置のセンサはベッド周辺だけでなく部屋の出入り口や外に配置することで、より確実に起床することが出来る。
【００２８】
また、人体検知装置が人体を検知しなくなったときで、時刻と光センサの情報により、制御部が、ベッド本体に設置されたライトを一定時間点灯することで、暗い時にベッドから降りた時、足元が見えづらいことを解消することができる。
【００２９】
この起床装置の動作の例として、まず、起床装置に電源を入れただけの状態、すなわちコンセントを差してアラーム設定を行なっていない状態で、ベッド上に人体を検知すると、音声で「起床時間は何時ですか。」などとアラーム設定を行なうように促す。アラーム設定を行なわない時は、アラーム設定を行なわないという意思を示すためのスイッチを押す。アラーム設定を行なう時は起床時刻を設定すればよい。
【００３０】
また、センサの人体検知の閾値を決めなければならず、人体を検知する前の重さ、または歪みを設定する必要がある。これはベッドから降りた状態で閾値設定用のスイッチを押す、もしくはベッドから降りてアラーム設定を行なった時はその時に自動で、人体を検知する前の重さ、または歪みに設定する。
【００３１】
睡眠中には人体検出手段３、ベッド上非接触型人体検知手段１８、ベッド側面人体検知手段１９、マット上人体検知手段９、ベッド周囲人体検知手段１０は働く必要はなく、アラーム設定時刻になったらセンサの情報を制御部に取り込む。この時人体を検知すればアラームを鳴らす。また、人体を検知しなかった場合でも、二度寝を防ぐために一時間程度は、人体検出手段３、ベッド側面人体検知手段１９、マット上人体検知手段９、ベッド周囲の人体検知手段１０、制御部を働かせておく。この時に制御部に人体検知の情報が入るとアラームが鳴る。
【００３２】
また、スヌーズ機構を設けて、二度、三度と徐々に目覚めることも出来る。この時は、アラーム一時停止用のスイッチを押すことでアラームを一時停止し、数分間アラーム開始時刻を遅らせることが出来る。
【００３３】
しかし、スヌーズの回数は限度を設けることで数回目にはベッドから降りなければアラームを停止できず、確実に目覚めることが出来る。
【００３４】
また、これではベッドから降りて寝てしまうことも考えられる。そこで、ベッドの周りを、マット上人体検知手段９、ベッド周囲の人体検知手段１０で監視する。
【００３５】
これは、図６のようにベッド８の周囲にマット１５などを置き、マット１５にマット上人体検知手段９を設ける。マット上人体検知手段９の間隔は３０ｃｍ程度の間隔にすれば、起きて立っているときは多くても二つ程度検知し、三つ以上検知すれば寝ていると判断できる。
【００３６】
また図７のようにベッド周囲から、ベッド周囲の人体検知手段１０でも同様に監視することができる。
【００３７】
また、ベッド８の人体検出手段３、ベッド上非接触型人体検知手段１８、ベッド側面人体検知手段１９、マット上人体検知手段９、ベッド周囲の人体検知手段１０はそれぞれの故障などを想定し、単独でもアラーム制御の情報とすることが出来る。
【産業上の利用可能性】
【００３８】
本発明に係る起床装置は、工業的に量産する事が可能であるため、産業上の利用可能性を有する。
【図面の簡単な説明】
【００３９】
【図１】寝床下部に人体検出装置を配置したことを特徴とする、起床装置の概略図である。
【図２】寝床上部に人体検出装置を配置したことを特徴とする、起床装置の概略図である。
【図３】寝床上部に人体検出装置を配置したことを特徴とする起床装置の斜視図である。
【図４】寝床上部に人体検出装置を配置したことを特徴とする起床装置のセンサ取り付け位置を示した斜視図である。
【図５】ベッド外周に歪みゲージを配置した起床装置とベッド上非接触型人体検知手段の概略図である。
【図６】ベッドの周辺のマット上にセンサを配置した起床装置の概略図である。
【図７】ベッド周囲に非接触型センサを配置した起床装置の概略図である。
【図８】ベッド上の人体検知手段とマット上人体検知手段とベッド周囲の人体検知手段を組み合わせた起床装置の概略図である。
【符号の説明】
【００４０】
１    寝床
２    梁
３    歪みゲージあるいは荷重センサなどの人体検出装置
４    アラーム発生部（スピーカ）
５    時刻表示装置
６    アラーム設定時刻表示装置
７    操作パネル
８   ベッド本体
９   マット上の歪みゲージあるいは荷重センサなどの人体検出装置
１０  ベッド側面の赤外線センサあるいは超音波センサなどの非接触人体検出装置
１１  非接触人体検出装置のセンサの検出方向
１２  マット上のセンサと制御部を接続する配線
１３  頭部ベッド支柱部
１４  ベッド本体の受け部
１５  マット本体
１６  収納部
１７  電気系ユニット部
１８  ベッド上非接触型人体検知手段
１９  ベッド側面人体検知手段
２０  ライト
２１  非接触型ベッド上人体検知手段の受光部
２２  非接触型ベッド上人体検知手段の検知方向
【図１】
2009085901.tif 000003
【図２】
2009085901.tif 000004
【図３】
2009085901.tif 000005
【図４】
2009085901.tif 000006
【図５】
2009085901.tif 000007
【図６】
2009085901.tif 000008
【図７】
2009085901.tif 000009
【図８】
2009085901.tif 000010